(57)【要約】【課題】  ムーヴメントから外部共鳴体へと効率よく振動を伝達する。【解決手段】  ムーヴメント２が発した振動をこのムーヴメント２から外部共鳴体７へと直接伝達する連結部材４を備える。連結部材４は、筐体１とは直接連結されていない。また、連結部材４は弾性体よりも振動伝達効率の高い材質によって構成されていることが好ましい。【選択図】        図１
2005062390.tif 000002
【特許請求の範囲】
【請求項１】
振動板と、この振動板を弾いて音を発生させる駆動部を含む機構部と、前記振動板及び機構部を配置固定してなるベースフレームとからなるオルゴールムーヴメントとを有し、前記ベースフレームは、前記オルゴールムーヴメントで発せられた振動を伝達する連結部材を備えてなることを特徴とするオルゴール装置。
【請求項２】
前記オルゴール装置は、前記オルゴールムーヴメントを収納し、前記ベースフレームを固定し前記振動の増幅に係わる筐体を有し、前記連結部材は前記筐体とは隙間を介して前記筐体外部に突出してなることを特徴とする請求項１記載のオルゴール装置。
【請求項３】
前記連結部材は、前記オルゴール装置とは別体の外部共鳴体に連結されてなることを特徴とする請求項１または２記載のオルゴール装置。
【請求項４】
オルゴール用のムーヴメント単体またはこのムーヴメントと筐体からなるオルゴールと、このオルゴールとは別体であって共鳴作用ないしは拡音作用を有する外部共鳴体とによって構成されるオルゴール装置において、前記ムーヴメントが発した振動をこのムーヴメントから前記外部共鳴体へと直接伝達する連結部材を有していることを特徴とするオルゴール装置。
【請求項５】
前記連結部材は、前記筐体とは直接連結されていないことを特徴とする請求項４記載のオルゴール装置。
【請求項６】
前記連結部材は、弾性体よりも振動伝達効率の高い材質によって構成されていることを特徴とする請求項４または５記載のオルゴール装置。
【発明の詳細な説明】
【技術分野】
【０００１】
本発明はオルゴール装置に関する。さらに詳述すると、本発明は外部共鳴体を備えた一連のオルゴール装置における拡音効果の向上に関する。
【背景技術】
【０００２】
振動板を弾いて音を発生させるオルゴールを共鳴作用ないしは拡音作用を有する別体の外部共鳴体に載置するなどして互いを接触させた状態とし、オルゴールが発する振動に共鳴させあるいはこの振動を増幅させて音を響かせるという一連のオルゴール装置が提案されている。このようなオルゴール装置に用いられるオルゴールは、オルゴール用のムーヴメント単体によって構成されている場合もあるし、このムーヴメントと筐体とによって構成されている場合もあるが（ムーヴメントと筐体とで構成されるオルゴールとしては、例えば特許文献１参照）、いずれにせよ、オルゴールからの振動を外部共鳴体に効率良く伝達することが求められている。
【０００３】
【特許文献１】国際公開第０２／０７３５９１号パンフレット
【発明の開示】
【発明が解決しようとする課題】
【０００４】
しかしながら、例えば図１５に示すような筐体支持脚１０１によって外部共鳴体１０２に振動を伝達するような場合、ムーヴメント１０３との間に筐体１０４の底板１０４ａを挟んで設置すると、ムーヴメント１０３と底板１０４ａの間で振動エネルギーの一部が底板１０４ａ側へと伝わって消費されるため筐体支持脚１０１に伝達するエネルギーが減少し、その結果として外部共鳴体１０２の拡音効果が低下してしまうという問題がある。また、筐体支持脚１０１がムーヴメント１０３の真下にないような構造であれば（図１６参照）、振動が筐体１０４を介して連結部材１０１に伝わることになるため外部共鳴体１０２に伝わるまでに更に減衰してしまうという問題がある（図１７参照）。
【０００５】
これらの場合、専用のボックス構造を有するオルゴール（例えば特許文献１のようなもの）であればボックス自体の拡音効果も加わり外部共鳴体１０２も加えた全体としての拡音効果は十分となりうるが、汎用のオルゴールではボックス自体の拡音効果を見込めず、外部共鳴体１０２における拡音効果を十分に引き出すことができない。そうすると、どのようなボックス構造であっても十分な拡音効果を引き出すには、ボックス構造にかかわらず振動を効率よく伝達できる構造が必要となる。
【０００６】
そこで、本発明は、ムーヴメントから外部共鳴体へと効率よく振動を伝達することができるオルゴール装置を提供することを目的とする。
【課題を解決するための手段】
【０００７】
かかる目的を達成するため、請求項１記載の発明は、振動板と、この振動板を弾いて音を発生させる駆動部を含む機構部と、振動板及び機構部を配置固定してなるベースフレームとからなるオルゴールムーヴメントとを有し、ベースフレームは、オルゴールムーヴメントで発せられた振動を伝達する連結部材を備えてなる。
【０００８】
請求項２記載の発明は、請求項１記載のオルゴール装置において、オルゴール装置は、オルゴールムーヴメントを収納し、ベースフレームを固定し振動の増幅に係わる筐体を有し、連結部材は筐体とは隙間を介して筐体外部に突出してなるものである。
【０００９】
請求項３記載の発明は、請求項１または２記載のオルゴール装置において、連結部材は、オルゴール装置とは別体の外部共鳴体に連結されてなるものである。
【００１０】
請求項４記載の発明は、オルゴール用のムーヴメント単体またはこのムーヴメントと筐体からなるオルゴールと、このオルゴールとは別体であって共鳴作用ないしは拡音作用を有する外部共鳴体とによって構成されるオルゴール装置において、ムーヴメントが発した振動をこのムーヴメントから外部共鳴体へと直接伝達する連結部材を有していることを特徴とするものである。
【００１１】
従来のオルゴール装置であればムーヴメントからの振動の一部あるいは全部がいったん筐体に伝達されてから連結部材へと伝達されることがあり（図１７参照）、この場合には振動の全てが連結部材に伝達されることはなくまた伝達された振動もエネルギーを失ってしまう結果十分な拡音効果が実現されなかったのに対し、本発明にかかるオルゴール装置によればムーヴメントが発した振動を外部共鳴体へと直接伝達され（図１８参照）、伝達途中におけるロスが極めて少なくなり伝達効率が向上する。この場合、連結部材は主としてムーヴメントの直下に配置されることになる（図１９参照）。
【００１２】
請求項５記載の発明は、請求項４記載のオルゴール装置において、連結部材は、筐体とは直接連結されていないことを特徴としているものである。こうした場合、連結部材を通じて外部共鳴体へと向かう振動が筐体側へと伝わっていくのが防止される。
【００１３】
請求項６記載の発明は、請求項４または５記載のオルゴール装置において、連結部材は、弾性体よりも振動伝達効率の高い材質によって構成されていることを特徴とするものである。
【発明の効果】
【００１４】
請求項１記載のオルゴール装置によると、ベースフレームに設けられた連結部材により、オルゴールムーヴメントで発せられた振動を外部共鳴体へと効率よく伝達することが可能となる。
【００１５】
また、筐体との間に隙間を介して連結部材を筐体外部に突出させる請求項２記載のオルゴール装置によると、オルゴールムーヴメントで発せられた振動のエネルギーが筐体側へ伝わってロスするのを防止し、振動を外部共鳴体へとより効率よく伝達することが可能となる。
【００１６】
さらに、連結部材をオルゴール装置とは別体の共鳴体に連結する請求項３記載の発明によると、オルゴール装置が発する振動を共鳴体へと効率よく伝達して共鳴ないし拡音させることができる。
【００１７】
請求項４記載のオルゴール装置によると、ムーヴメントが発した振動を連結部材によって外部共鳴体へと直接的に効率よく伝達することができ、ボックス構造にかかわらず十分な拡音効果を発揮させて音を響かせることが可能となる。
【００１８】
また、連結部材を筐体とは直接連結しないようにした請求項５記載のオルゴール装置によると、振動が筐体側へと伝わっていくのを防止して外部共鳴体へとさらに効率よく伝達することが可能となる。
【００１９】
さらに、請求項６記載のオルゴール装置によると、弾性体よりも振動伝達効率の高い材質により伝達効率をさらに向上させることが可能となる。
【発明を実施するための最良の形態】
【００２０】
以下、本発明の構成を図面に示す実施の形態に基づいて詳細に説明する。
【００２１】
図１〜図３に本発明の一実施形態を示す。本実施形態にかかるオルゴール装置においては、汎用のオルゴールボックス（本明細書でいうオルゴールボックスとはオルゴールムーヴメント２が収容される箱状物の全て、つまり筐体１のみならず底、足などを含んだ全体を意味している）に連結部材４を取り付けているものである（図１参照）。オルゴール装置は、振動板１３と、この振動板１３を弾いて音を発生させる駆動部を含む機構部１４と、振動板１３及び機構部１４を配置固定してなるベースフレーム１５とを有し、さらに、オルゴールムーヴメント（以下単に「ムーヴメント」ともいう。図３参照）２で発せられた振動を伝達する連結部材４を備えている。ムーヴメント２は板状の取付部材３上に取り付けられ、筐体１の内部に収容された状態となっている。取付部材３は筐体１の底に取り付けられてこの筐体１の一部を構成する。また、オルゴールが連結部材４を介して接続される外部共鳴体７としては、複数の板状部材が空間を構成するように剛な状態で組み合わされて大きな音で共鳴するようにした音響装置のようなものが挙げられる。
【００２２】
オルゴール装置を構成するムーヴメント２はベースフレーム１５上に３ヶ所の取付用ねじ孔１６を有しており、そのうち１ヶ所の取付用ねじ孔１６には連結部材４がカラー９を挟んだ状態でねじ込まれて固定されている。この連結部材４は、外部共鳴体７に接する先端部（つまり下端部）が木製の部材で形成されており、木製部材の内部に埋め込まれたナット１１に全ねじ１２がねじ込まれた構成となっている（図２参照）。この場合におけるカラー９は、連結部材４が取付部材３に接触するのを防止しつつムーヴメント２（ベースフレーム１５）に対しこの連結部材４を強固に締め付けるのを可能とするものであり、少なくとも取付部材３の厚みよりも長軸に設けられている（図１参照）。また、連結部材４は筐体１との間に隙間を介した状態で、筐体１の外部に突出するように取り付けられている。例えば本実施形態の場合には、筐体１の一部（底部）を構成する取付部材３に、連結部材４のピン径あるいはカラー９の径より若干大きな透孔１７が設けられており、連結部材４の本体あるいはカラー９が取付部材３に連結されていない構造、つまり取付部材３とは接触しない構造になっている（図１参照）。なお、連結部材４は、外部共鳴体７への振動伝達効果が上がるように、ムーヴメント２の振動板１３の近傍に配置されていることが好ましい（図３参照）。
【００２３】
また、残りの２ヶ所の取付用ねじ孔１６には筐体支持脚５がワッシャ１０を挟んでねじ込まれており、これら筐体支持脚５を締め付けることによってムーヴメント２が取付部材３に固定されている（図１参照）。なお、ワッシャ１０は連結部材４と各筐体支持脚５の高さが等しくなるように設けられており、振動伝達には影響しないものとされている。
【００２４】
オルゴール装置を平面上に設置する場合、３つの脚で支持すると平面が一義的に定まりぐらつきが生じないという点で最も安定するため、汎用オルゴール装置ボックスは上述のような１つの連結部材４及び２つの筐体支持脚５の計３つの脚によって外部共鳴体７上に支持される。ムーヴメント２からの振動は、これら連結部材４と筐体支持脚５からなる脚によって外部共鳴体７に伝達されることになるが、その中でも特に連結部材４が伝達ロスを防ぎつつ振動を効率よく外部共鳴体７に伝達する。
【００２５】
なお、本実施形態においてはムーヴメント２を筐体１に強固に固定するために筐体支持脚５を２つ用いているが、外部共鳴体７への振動伝達効率を増すため筐体支持脚５を減らし代わりに連結部材４を増やしてもよい。ただしこの場合、筐体支持脚５のねじ部を利用してムーヴメント２を取付部材３に固定するのであればこの筐体支持脚５を少なくとも１つは確保しておく必要がある。
【００２６】
なお、上述の実施形態は本発明の好適な実施の一例ではあるがこれに限定されるものではなく本発明の要旨を逸脱しない範囲において種々変形実施可能である。例えば、本実施形態では外部共鳴体７の一例として専用の音響装置のようなものを挙げたが、本発明における外部共鳴体７はこのような装置に限られることはなく、連結部材４を介して振動が伝達されることにより共鳴しうる全てのもの例えば机のようなものまでもが含まれる。
【００２７】
また、連結部材４の構成としては、図４（ａ）に示すように先端部を別部材で構成するほか、図４（ｂ）に示すように金属等の材料によって先端部とねじ部を一体化した構成をとってもよい。
【００２８】
また、連結部材４の形状は、図５（ａ）に示すような先端が半球状となった形状のほか、図５（ｂ）のように外部共鳴体７と面接触する形状、図５（ｃ）のように外部共鳴体７上に安定して設置するため接触面を広く取った末広がり形状等、種々のものが考えられる。ただし、外部共鳴体７への振動伝達効率がより高まるという点では先端部が外部共鳴体７と点接触するような尖端形状であることが好ましい。
【００２９】
また、ムーヴメント２（のベースフレーム１５）に対し連結部材４を固定するための方法としては、本実施形態でも説明したようにムーヴメント２と連結部材４の間にカラー９を挟んで固定する構造のほか（図６（ａ）参照）、図６（ｂ）のようにカラー９はないが外部共鳴体７に接する先端部（つまり下端部）が長軸とされてムーヴメント２に直接固定されうる構造、図６（ｃ）のように取付部材３（筐体１）に接触しないよう段付き形状とした構造などとすることができる。
【００３０】
また、図７に示すように、連結部材４とムーヴメント２が接触する直下で、連結部材４と外部共鳴体７が接触しないように連結部材４を構成してもよい。
【００３１】
また、本実施形態で用いたような筐体支持脚５（図１参照）は用いず、取付ねじ６によりムーヴメント２を取付部材３に固定し、ムーヴメント２（ベースフレーム１５）上にねじ孔を追加して連結部材４によってのみ外部共鳴体７上に筐体１を支持してもよい（図８参照）。
【００３２】
また、図９に示すように、ムーヴメント２をクランプする部材を連結部材４として用いてもよい。
【００３３】
また、図１０に示すように、連結部材４をオルゴール装置と外部共鳴体７とは別部材として、ムーヴメント２と外部共鳴体７に接触するようにしてもよい。
【００３４】
また、図１１に示すように、ムーヴメント２に直接連結部材４を取り付けて外部共鳴体７に接触するようにしてもよい。また、連結部材４とムーヴメント２を一体化してもよい。この場合、ムーヴメント２が外部共鳴体７に直に接触するような形になる。あるいは、図１１において、これとは逆に外部共鳴体７に連結部材４を取り付けてムーヴメント２に接触するようにしてもよい。また、外部共鳴体７と連結部材４を一体化してもよい。
【００３５】
また、図１２に示すように、ムーヴメント２の振動板取付ねじ８を伸ばして連結部材４の役割を果たすようにしてもよい。
【００３６】
また、図１３に示すように、取付部材３と外部共鳴体７を連結部材４によって接触させることによって、ムーヴメント２と外部共鳴体７の直接接触には劣るものの、ある程度の振動伝達効果は得るようにすることもできる。
【００３７】
なお、弾性体よりも振動伝達効率の高い材質としては、本実施形態で説明したような木（木製部材）のほか、金属、合成樹脂等を採用することができる。
【実施例１】
【００３８】
従来のオルゴール装置（従来機）と、図１等に示した本実施形態の構成により従来機に連結部材４を取り付けたオルゴール装置とについて、外部共鳴体７が発する音響の周波数特性を比較した結果を図１４に示す。図１４より、従来機に比べ連結部材４を付けた本発明にかかる装置の方が特に低音域で音圧レベルの向上が認められることが分かる。また、400Hz以下の周波数域では、連結部材４を付けた方が平均で５dB程度音圧レベルが高くなっている。
【図面の簡単な説明】
【００３９】
【図１】本発明の一実施形態を示すオルゴール装置の断面図である。
【図２】オルゴール装置の連結部材の構造を示す拡大図である。
【図３】オルゴール装置の内部構造例を示す斜視図である。
【図４】連結部材の他の構成を（ａ）、（ｂ）のそれぞれに示した図である。
【図５】本実施形態の連結部材の形状を（ａ）として示した上で他の形状例を（ｂ）（ｃ）に示した図である。
【図６】本実施形態における連結部材の固定方法を（ａ）として示した上で他の方法例を（ｂ）（ｃ）に示した図である。
【図７】連結部材とムーヴメントが接触する直下で、連結部材と外部共鳴体が接触しないように構成した連結部材を表す図である。
【図８】取付ねじによりムーヴメントを取付部材に固定し、ムーヴメント上にねじ孔を追加して連結部材によってのみ外部共鳴体上に筐体を支持した形態を示す図である。
【図９】ムーヴメントをクランプする部材を連結部材とした形態を示す図である。
【図１０】連結部材をオルゴール装置と外部共鳴体とは別部材として、ムーヴメントと外部共鳴体に接触するようにした形態を示す図である。
【図１１】ムーヴメントに直接連結部材を取り付けて外部共鳴体に接触するようにした形態を示す図である。
【図１２】ムーヴメントの振動板取付ねじを伸ばして連結部材の役割を果たすようにした形態を示す図である。
【図１３】取付部材と外部共鳴体を連結部材によって接触させるようにした形態を示す図である。
【図１４】外部共鳴体が発する音響の周波数特性を比較した結果を示す図である。
【図１５】従来のオルゴール装置を示す部分拡大図である。
【図１６】従来のオルゴール装置の構造の一例を概略的に示した斜視図である。
【図１７】従来の伝達方式を簡単に示した図である。
【図１８】本発明における伝達方式を簡単に示した図である。
【図１９】本発明にかかるオルゴール装置の構造を概略的に示した斜視図である。
【符号の説明】
【００４０】
１  筐体
２  ムーヴメント（オルゴールムーヴメント）
４  連結部材
７  外部共鳴体
１３  振動板
１４  機構部
１５  ベースフレーム
【図１】
2005062390.tif 000003
【図２】
2005062390.tif 000004
【図３】
2005062390.tif 000005
【図４】
2005062390.tif 000006
【図５】
2005062390.tif 000007
【図６】
2005062390.tif 000008
【図７】
2005062390.tif 000009
【図８】
2005062390.tif 000010
【図９】
2005062390.tif 000011
【図１０】
2005062390.tif 000012
【図１１】
2005062390.tif 000013
【図１２】
2005062390.tif 000014
【図１３】
2005062390.tif 000015
【図１４】
2005062390.tif 000016
【図１５】
2005062390.tif 000017
【図１６】
2005062390.tif 000018
【図１７】
2005062390.tif 000019
【図１８】
2005062390.tif 000020
【図１９】
2005062390.tif 000021